(57)【要約】      （修正有）【課題】切削途中でも、ナイフを取り出し、清浄化して切削を再開しても、連続した切削が行えるようにすることを目的とする。【解決手段】ミクロトームに対して着脱可能に取り付けられるホルダー本体とナイフを保持するナイフ取付け部とからなるミクロトーム用ナイフホルダーであって、切削位置にある試料に対して遠近する一方向において、ナイフ取付け部がホルダー本体に対して移動可能に取付けられており、ナイフ取付け部が試料に対し最接近した一定位置において、ホルダー本体に解除可能にナイフ取付け部を解除可能に固定する固定構造が設けられていることを特徴とする。【選択図】図２
0003135113.tif 000002
【実用新案登録請求の範囲】
【請求項１】
ミクロトームに対して着脱可能に取り付けられるホルダー本体とナイフを保持するナイフ取付け部とからなるミクロトーム用ナイフホルダーであって、切削位置にある試料に対して遠近する一方向において前記ナイフ取付け部がホルダー本体に対して移動可能に取付けられており、前記ナイフ取付け部が試料に対し接近した一定位置において、ホルダー本体にナイフ取付け部を解除可能に固定する固定構造が設けられていることを特徴とするミクロトーム用ナイフホルダー
【請求項２】
請求項１に記載のミクロトーム用ナイフホルダーにおいて、試料切断面に対して直行する方向に前記ナイフ取付け部がホルダー本体に対して移動可能にしてあることを特徴とするミクロトーム用ナイフホルダー
【考案の詳細な説明】
【技術分野】
【０００１】  本考案は、試料の面出しや試料を薄片状に切削するために用いられるミクロトームのナイフホルダーに関し、より詳しくは、ミクロトームに対して着脱可能に取付けられるホルダー本体とナイフを保持するナイフ取付け部とからなるミクロトーム用ナイフホルダーに関する。
【背景技術】
【０００２】  この種ミクロトームにおいては、試料を切削中に、その試料片はナイフの刃先に付着する現象がみられる。
この付着現象は、連続した切削により次々に押し出される場合が多いが、時としてこのような押し出しが行えず新たに切削する試料片が破損したり、試料面を損傷するなどの問題が生じていた。このような場合は、従来は、切削を中断し、ナイフホルダーをミクロトームから取り外し、ナイフの刃先を清浄化するか、こびりついた試料片を剥ぎ取るなどの操作が必要であった。
このような操作を行った後、ナイフホルダーをミクロトームに再度取り付けると、相互の位置調整が一旦解除された状態となっているために、再切削では、取り外す前の切削位置に合わせることが不可能であり、連続した切削を行うことはできなかった。
このため、連続した切削による切片を観察するのを目的とする切削や微小異物の混入面を探査し観察するような目的の切削では、ナイフホルダーの途中での取外しは禁止されていた。
つまり、このような目的での切削中に、刃先に切片がこびりつくような事態が生じれば、その切削作業は失敗したものとされ、新試料の切削を最初から行わざるを得なかった。
【考案の開示】
【０００３】
【考案が解決しようとする課題】
【０００４】  本考案は、このような実情に鑑み、切削途中でも、ナイフを取り出し、清浄化して切削を再開しても、連続した切削が行えるようにすることを目的とする。
【課題を解決するための手段】
【０００５】  考案１のミクロトーム用ナイフホルダーは、切削位置にある試料に対して遠近する一方向において前記ナイフ取付け部がホルダー本体に対して移動可能に取付けられており、前記ナイフ取付け部が試料に対し接近した一定位置において、ホルダー本体にナイフ取付け部を解除可能に固定する固定構造が設けられていろことを特徴とする。
【０００６】  考案２は、考案１のミクロトーム用ナイフホルダーにおいて、試料切断面に対して直行する方向に前記ナイフ取付け部がホルダー本体に対して移動可能にしてあることを特徴とする。
【考案の効果】
【０００７】  考案１により、ナイフホルダーとミクロトームとの取り付け状態が維持されたままで、ナイフを取外し清浄化できるので、試料を傷つけることなく、ナイフの再生が可能となるのみならず、このナイフをナイフホルダーに取り付ける時は、取外す前と同じ位置関係でホルダー本体に固定できることから、切削の再開は、直前の切削位置を出発点として再開することができるようになった。
【考案を実施するための最良の形態】
【０００８】  以下に、本考案の最良の実施形態を例示するが、本考案はこれによって限定されるものではない。
【実施例】
【０００９】  （１）は、ホルダー本体であって、基盤（１０）の左右にミクロトーム（図外）に取付けるための保持板（１１）（１１）が一体固定されている。
前記基盤（１０）の上面には前後に向かうアリ溝（１２）が形成してある。【００１０】  （２）は、ナイフ取付け部であって、ナイフ（５）の保持部分を嵌込む溝（２１）を持つフランジ（２０）と、前記溝（２１）に嵌ったナイフ（５）を締付け固定する締付けボルト（２２）とにより構成されている。
また、フランジ（２０）の下面は前記アリ溝（１２）に嵌込まれるスライダー（３０）の前半部に一体固定してある。
前記スライダー（３０）の後半部には、所定の前後間隔をもってメネジ状の取付け穴（３１）が形成してある。
（３２）は、ストッパーであって、前記取付け穴（３１）にねじ込み可能なボルトよりなる。
ストッパー（３２）の取付けにあたり前記取付け穴（３１）を選択することにより、前記フランジ（２０）の前端の前記基盤（１０）の前端に対する位置を段階的に前後調整できるようにして、前方にある試料（図外）との間隔をミクロトームに設けたナイフ位置調整構造（図外）とは別に調整できるようにしてある。このようにして、ナイフ（５）の形状の違いや、ナイフの固定位置に対応して、試料に対するナイフの前後位置を調整可能にしてある。
なお、ミクロトームには一般に、取り付けたナイフホルダーの固定位置を前後させて、ナイフは先の前後位置を設定調整する機構が設けられているが、前記複数の取付け穴（３１）は、これをおぎない、より広範に対応できるようにしたものである。【００１１】  （４０）は、固定ネジであって、前記基盤（１０）の後方から斜め前方に向かって貫通形成し、前記アリ溝（１２）の一側部に開放したネジ孔（４１）にねじ込まれて、前記アリ溝（１０）に嵌込まれたスライダー（３０）を前押し勝手に締付け、前記ストッパー（３２）で規制した最前位置にて、前記ナイフ取付け部（２）をホルダー本体（２）に固定するようにしてある。
このようにして、前記ストッパー（３２）のねじ込み穴（３１）と、前記ナイフ（５）と前記フランジ（２０）との固定状態を変更しない限り、前記ナイフ（５）の刃先は、ホルダー本体（１）に対し一定の相対位置で固定できるようにしてある。
それ故に、ナイフ取付け部（２）をホルダー本体（１）から取り外し再度取り付けて固定しても、刃先のナイフホルダー本体（１）に対する位置はミクロン以下の精度で一定である。【００１２】  前記実施例では、スライダー（３０）の移動方向をホルダー本体（１）の前後方向に設定してあるが、この前後方向に対して、上下又は／及び左右に所定の傾斜角度をもって、移動可能にするようにアリ溝（１２）を形成することも可能である。
このようにして、ストッパー（３２）の取付け位置により、ホルダー本体（１）に対する刃先の前後位置のみならず、左右位置又は／及び上下位置の調整も可能にすることができる。
この結果、ミクロトームの刃物取付け部と試料取付け部によって制限される、切削の自由度を、その限界を超えた対応にても切削可能にすることができる。
【産業上の利用可能性】
【００１３】  本考案によるミクロトーム用ナイフホルダーは、従来不可能であったナイフへの付着性がある試料をも、連続して切削するのに適用でき、ミクロトームの可能性を大きく広げるものである。
【図面の簡単な説明】
【００１４】
【図１】実施例の組み立て状態を示す斜視図
【図２】実施例の分解斜視図
【符号の説明】
【００１５】（１）          ホルダー本体
（１０）        基盤
（１１）        取付け板
（１２）        アリ溝
（２）          ナイフ取付け部
（２０）        フランジ
（２１）        溝
（２２）        締付けボルト
（３０）        スライダー
（３１）        取付け穴
（３２）        ストッパー
（４０）        固定ネジ
（４１）        ネジ孔
【図１】
0003135113.tif 000003
【図２】
0003135113.tif 000004